(57)【要約】【課題】浴槽内の湯を追い焚き用熱交換器との間に循環させる追い焚き回路に介設される殺菌装置と、浴槽からの排水を行う自動排水栓とを備える給湯装置を用い、所定の入浴期間経過後に追い焚き回路に湯を循環させつつ殺菌装置で湯を殺菌する殺菌運転を行う給湯装置における殺菌方法において、殺菌運転の運転時間を短縮して省エネルギー化を図ることができるようにする。【解決手段】入浴期間が経過したところで浴槽内の湯を自動排水栓により所定量排水し、その後、排水量に等しい所定量の非加熱の水を浴槽に注水してから殺菌運転を所定時間行う。【選択図】図２
2017156060.tif 000002
【特許請求の範囲】
【請求項１】
浴槽内の湯を追い焚き用熱交換器との間に循環させる追い焚き回路と、追い焚き回路に介設される殺菌装置と、浴槽からの排水を行う自動排水栓とを備える給湯装置を用い、所定の入浴期間経過後に追い焚き回路に湯を循環させつつ殺菌装置で湯を殺菌する殺菌運転を行う給湯装置における殺菌方法において、
入浴期間が経過したところで浴槽内の湯を自動排水栓により所定量排水し、その後、排水量に等しい所定量の非加熱の水を浴槽に注水してから殺菌運転を所定時間行うことを特徴とする給湯装置における殺菌方法。
【発明の詳細な説明】
【技術分野】
【０００１】
本発明は、浴槽内の湯を追い焚き用熱交換器との間に循環させる追い焚き回路と、追い焚き回路に介設される殺菌装置と、浴槽からの排水を行う自動排水栓とを備える給湯装置における殺菌方法に関する。
【背景技術】
【０００２】
従来、この種の殺菌方法として、所定の入浴期間経過後（例えば、湯張り完了から所定の設定時間経過後）に、追い焚き回路に湯を循環させつつ殺菌装置で湯を殺菌する殺菌運転を所定時間行うものが知られている（例えば、特許文献１参照）。
【０００３】
ところで、細菌の増殖速度は湯温が高くなるほど増加する。例えば、大腸菌では、湯温が２５℃のとき１時間に３．２倍の増殖速度であるのに対し、湯温が３５℃のときは１時間に１０倍の増殖速度に増加する。従来は、入浴期間が経過した直後で浴槽内の湯温が比較的高いときに殺菌運転を行っているため、浴槽内の湯を清潔に保つには、殺菌運転を長く行う必要がある。その結果、殺菌運転での消費エネルギーが増加し、省エネルギー化を図ることが困難になっている。
【先行技術文献】
【特許文献】
【０００４】
【特許文献１】特開２００１−１９８４１５号公報
【発明の概要】
【発明が解決しようとする課題】
【０００５】
本発明は、以上の点に鑑み、殺菌運転の運転時間を短縮して省エネルギー化を図ることができるようにした給湯装置における殺菌方法を提供することをその課題としている。
【課題を解決するための手段】
【０００６】
上記課題を解決するために、本発明は、浴槽内の湯を追い焚き用熱交換器との間に循環させる追い焚き回路と、追い焚き回路に介設される殺菌装置と、浴槽からの排水を行う自動排水栓とを備える給湯装置を用い、所定の入浴期間経過後に追い焚き回路に湯を循環させつつ殺菌装置で湯を殺菌する殺菌運転を行う給湯装置における殺菌方法において、入浴期間が経過したところで浴槽内の湯を自動排水栓により所定量排水し、その後、排水量に等しい所定量の非加熱の水を浴槽に注水してから殺菌運転を所定時間行うことを特徴とする。
【０００７】
本発明によれば、浴槽内の湯を所定量排水してから浴槽に非加熱の水を所定量注水することにより、浴槽内の湯温が下がる。そして、湯温が低下した状態、即ち、湯中の細菌の増殖速度が低下した状態で殺菌運転が行われることになるため、浴槽内の湯を清潔に保つ上で必要な殺菌運転の運転時間は比較的短くて済む。従って、殺菌運転の運転時間を短縮して、省エネルギー化を図ることができる。
【図面の簡単な説明】
【０００８】
【図１】本発明の実施に用いる給湯装置の構成図。
【図２】実施形態の殺菌方法の手順を示すフロー図。
【発明を実施するための形態】
【０００９】
図１を参照して、本発明の実施に用いる給湯装置は、缶体１を備えている。缶体１内の下部には、給湯用バーナ２１と追い焚き用バーナ２２とが収納され、缶体１内の上部には、給湯用バーナ２１で加熱される給湯用熱交換器３１と追い焚き用バーナ２２で加熱される追い焚き用熱交換器３２とが収納されている。尚、給湯用のバーナ２１及び熱交換器３１が配置された空間と追い焚き用のバーナ２２及び熱交換器３２が配置された空間とは、仕切り壁１１により区画されている。また、缶体１の下面には、バーナ２１，２２に燃焼用空気を供給する燃焼ファン４が接続されており、缶体１の上端には排気口１２が開設されている。
【００１０】
バーナ２１，２２に燃料ガスを供給するガス供給路５には、電磁弁５ａと比例弁５ｂとが介設されている。更に、給湯用バーナ２１を構成する複数の単位バーナを３組に分け、比例弁５ｂの下流で分岐された各組の単位バーナへの分岐ガス供給路５１に、能力切換のための電磁弁５１ａを夫々介設し、比例弁５ｂの下流で分岐された追い焚き用バーナ２２への分岐ガス供給路５２にも、電磁弁５２ａを介設している。
【００１１】
給湯用熱交換器３１は、バーナ２１からの燃焼ガスの顕熱を回収する主熱交換器３１ａと、主熱交換器３１ａを通過した燃焼ガスの潜熱を回収する副熱交換器３１ｂとで構成されており、同様に、追い焚き用熱交換器３２も、主熱交換器３２ａと副熱交換器３２ｂとで構成されている。給湯用熱交換器３１には、上流側の給水路６１と下流側の出湯路６２とが接続されており、追い焚き用熱交換器３２には、浴槽７に連なる追い焚き回路６３が接続されている。尚、出湯路６２の下流端は、図外の給湯端末に接続されている。
【００１２】
給水路６１には、給水用水量センサ６１ａと水量サーボ６１ｂとが設けられている。更に、水量サーボ６１ｂの下流側の給水路６１の部分から分岐して給湯用熱交換器３１を通らずに出湯路６２に合流するバイパス通路６４を設け、バイパス通路６４の分岐箇所にバイパスサーボ６４ａを設けている。出湯路６２には、出湯サーミスタ６２ａが設けられている。
【００１３】
追い焚き回路６３は、追い焚き用熱交換器３２を通過した湯を浴槽７に送る往路６３１と、浴槽７内の湯を追い焚き用熱交換器３２に戻す復路６３２とで構成されている。往路６３１には、往路サーミスタ６３ａが設けられており、復路６３２には、復路サーミスタ６３ｂと循環ポンプ６３ｃと水位センサ６３ｄと水流スイッチ６３ｅとが設けられている。そして、循環ポンプ６３ｃの作動により浴槽７内の湯を追い焚き用熱交換器３２との間で追い焚き回路６３を介して循環させるようにしている。更に、追い焚き用バーナ２２を燃焼させて、追い焚き回路６３を循環する湯を追い焚き用熱交換器３２で加熱して、追い焚きを行うようにしている。
【００１４】
浴槽７と循環ポンプ６３ｃとの間の復路６３２の部分には、バイパス通路６４の合流箇所よりも下流側の出湯路６２の部分から分岐した湯張り通路６５が接続されている。湯張り通路６５には、湯張り用電磁弁６５ａと湯張り用出湯路６５に流れる湯の流量を検出する湯張り用水量センサ６５ｂとが設けられている。そして、循環ポンプ６３ｃを作動させずに湯張り用電磁弁６５ａを開弁することにより、給湯用熱交換器３１で加熱された湯を湯張り通路６５と復路６３２及び往路６３１とを介して浴槽７に供給して、湯張りを行うようにしている。尚、浴槽７の底面には、ソレノイド等のアクチュエータ７１ａにより開閉される自動排水栓７１が設けられており、湯張り時には自動排水栓７１が閉じられるようにしている。
【００１５】
また、追い焚き回路６３の復路６３２には、湯張り通路６５の接続箇所と浴槽７との間に位置させて、ＵＶランプを有する殺菌装置６３ｆが介設され、ＵＶランプの点灯により追い焚き回路６３を循環する湯に紫外線を照射して、殺菌を行うようにしている。尚、殺菌装置６３ｆは、光触媒と光触媒に光を照射するＬＥＤランプを有するものやオゾン発生器を有するものであってもよい。
【００１６】
燃焼ファン４、電磁弁５ａ、比例弁５ｂ、電磁弁５１ａ，５１ａ，５１ａ，５２ａ、水量サーボ６１ｂ、循環ポンプ６３ｃ、殺菌装置６３ｆのＵＶランプ、バイパスサーボ６４ａ、湯張り用電磁弁６５ａ及び自動排水栓７１は、給湯装置のコントローラ８により制御される。このコントローラ８には、給水用水量センサ６１ａ、出湯サーミスタ６２ａ、往路サーミスタ６３ａ、復路サーミスタ６３ｂ、水位センサ６３ｄ、水流スイッチ６３ｅ及び湯張り用水量センサ６５ｂの検出信号が入力される。そして、コントローラ８により、循環ポンプ６３ｃを作動させて追い焚き回路６３に浴槽７内の湯を循環させつつ殺菌装置６３ｆで湯を殺菌する殺菌運転を行い、また、循環ポンプ６３ｃを作動させて浴槽７内の湯を追い焚き回路６３に循環させつつ追い焚き用熱交換器３２により所定の設定温度に加熱する追い焚き運転を行うようにしている。また、コントローラ８には、殺菌運転を指示するための操作が可能な殺菌運転スイッチと追い焚き運転を指示するための操作が可能な追い焚き運転スイッチとが設けられた図外のリモコンが通信可能に接続されている。尚、殺菌運転や追い焚き運転を行うとき、それをリモコンの画面に表示することも可能である。
【００１７】
ところで、湯温が高くなるほど菌の増殖速度が増加するため、浴槽７内の湯温が比較的高いときに殺菌運転を行う場合には、浴槽７内の湯を清潔に保つ上で、殺菌運転を長く行う必要がある。その結果、殺菌運転での消費エネルギーが増加し、省エネルギー化を図ることが困難になる。
【００１８】
そこで、本実施形態では、所定の入浴期間経過したところで浴槽７内の湯を自動排水栓７１により所定量排水し、その後、排水量に等しい所定量の非加熱の水を浴槽７に注水してから殺菌運転を所定時間行うようにしている。以下、この制御について図２を参照して詳述する。
【００１９】
先ず、ＳＴＥＰ１で所定の入浴期間が経過したか否かを判別する。具体的には、湯張り完了からリモコンで設定される所定の設定時間（例えば、３時間）経過したときや、湯張り完了後に浴槽の湯温を一定に保つ保温運転を開始する場合には、リモコンで設定される所定の保温運転時間が経過して保温運転が終了したときや、湯張り完了後に水位センサ６３ｄにより水位変化が検知されないまま、或いは、人体センサにより人の存在が検知されないまま所定時間経過したときや、湯張り完了後にリモコンの殺菌運転スイッチがオンされたときに入浴期間が経過したと判断する。
【００２０】
ＳＴＥＰ１で入浴期間が経過したと判別されると、ＳＴＥＰ２に進み、水位センサ６３ｄにより浴槽７内の水位を検知して記憶する。次に、ＳＴＥＰ３に進み、自動排水栓７１を開いて、浴槽７内の湯を所定量排水する。具体的には、浴槽７内の水位がＳＴＥＰ２で記憶した水位から所定高さ下がるまで浴槽７内の湯を排水してから自動排水栓７１を閉じる。その後、ＳＴＥＰ４に進み、給湯用バーナ２１を燃焼させずに湯張り用電磁弁６５ａを開弁させて、排水量に等しい所定量の非加熱の水を浴槽７に注水する。具体的には、浴槽７内の水位がＳＴＥＰ２で記憶した水位になるまで浴槽７に注水してから湯張り用電磁弁６５ａを閉弁する。次に、ＳＴＥＰ５で殺菌運転を開始し、その後、ＳＴＥＰ６で殺菌運転の開始から所定時間経過したと判別されたとき、ＳＴＥＰ７に進んで殺菌運転を終了する。
【００２１】
本実施形態によれば、浴槽７内の湯を所定量排水してから浴槽７に非加熱の水を所定量注水することにより、浴槽７内の湯温が下がる。例えば、浴槽７内の湯温が３５℃であったとして、浴槽７内の湯の１／２量を排水してから、排水量に等しい１５℃の水を注水すると、浴槽７内の湯温は２５℃に下がる。そして、湯温が低下した状態、即ち、湯中の細菌の増殖速度が低下した状態で殺菌運転が行われる。そのため、浴槽７内の湯を清潔に保つ上で必要な殺菌運転の運転時間は比較的短くて済む。従って、殺菌運転の運転時間を短縮して、省エネルギー化を図ることができる。
【００２２】
以上、本発明の実施形態について図面を参照して説明したが、本発明はこれに限定されるものではなく、本発明の趣旨を逸脱しない範囲で種々変更して実施することができる。
【符号の説明】
【００２３】
３２…追い焚き用熱交換器、６３…追い焚き回路、６３ｆ…殺菌装置、７…浴槽、７１…自動排水栓。
【図１】
2017156060.tif 000003
【図２】
2017156060.tif 000004